(57)【特許請求の範囲】
【請求項１】
空調機（５０ａ，５０ｂ，・・・）の有するセンサ（５３）によって検知される検知結果に関する情報、前記空調機の操作履歴に関する情報及び前記空調機の運転負荷に関する情報の少なくともいずれか１つの情報を取得する取得部（２１）と、
前記取得部によって取得された前記情報を蓄積する蓄積部（２５）と、
前記蓄積部に蓄積されている前記情報に基づいて、前記空調機の消費電力量を抑えるための省エネ運転の運転内容が前記空調機の設置されている空調対象空間に適応するように、前記省エネ運転の運転内容を調整する調整部（２２）と、
を備え、
前記調整部は、
前記情報に基づく前記空調対象空間における時間帯別の状況から前記空調対象空間の区画を判定する判定部（２２ｂ）を有し、
前記判定部の判定結果に応じて前記省エネ運転の運転内容を調整する、
空調制御装置（２０）。
【請求項２】
前記調整部は、前記省エネ運転の運転内容を単位期間毎に調整する、
請求項１に記載の空調制御装置。
【請求項３】
前記センサは、前記空調対象空間に人が存在するか否かを検知可能な人検知センサ（５３）を含み、
前記省エネ運転の運転内容が、前記人検知センサによって人の不在が検知されてから所定時間が経過するまでの間前記人検知センサによって人の存在が検知されない場合に運転が停止するように、設定されている場合には、
前記調整部は、前記蓄積部に蓄積されている前記情報に基づいて、前記所定時間を変更することで、前記省エネ運転の運転内容を調整する、
請求項１又は２に記載の空調制御装置。
【請求項４】
前記省エネ運転の運転内容が、前記人検知センサによって人の不在が検知されてから前記所定時間が経過するまでの間設定温度が所定温度だけシフトするように、設定されている場合には、
前記調整部は、前記蓄積部に蓄積されている前記情報に基づいて、前記所定温度を変更することで、前記省エネ運転の運転内容を調整する、
請求項３に記載の空調制御装置。
【発明の詳細な説明】
【技術分野】
【０００１】
本発明は、空調制御装置に関する。
【背景技術】
【０００２】
従来より、設置されている空調対象空間に人が存在するか否かを検知して、人が存在しない場合には、通常の運転よりも消費電力が少ない省エネ運転を行う空調機がある。
【０００３】
例えば、特許文献１（特開平１１−６６４４号公報）に開示されている空調制御システムでは、空調オン時に人感センサが人の不在を検知すると、運転内容が低負荷運転（省エネ運転に相当）に変更されるように室外機や室内機（空調機に相当）が制御されている。
【発明の概要】
【発明が解決しようとする課題】
【０００４】
ところで、空調機は、様々な種類の空調対象空間（例えば、会議室や廊下等）に設置されることが考えられる。また、空調機の設置されている空調対象空間の状況（人の在／不在や空調対象空間の温度等）は、例えば１日のうちで変化することが考えられる。このため、空調機の設置されている空調対象空間に応じた省エネ運転の運転内容に従って空調機を制御することで、空調機によって消費される電力をさらに抑えることができると考えられる。
【０００５】
そこで、本発明の課題は、空調機の省エネ運転の運転内容を調整することで、消費電力を抑えることが可能な空調制御装置を提供することにある。
【課題を解決するための手段】
【０００６】
本発明の第１観点に係る空調制御装置は、取得部と、蓄積部と、調整部と、を備える。取得部は、空調機の有するセンサによって検知される検知結果に関する情報、空調機の操作履歴に関する情報及び空調機の運転負荷に関する情報の少なくともいずれか１つの情報を取得する。蓄積部は、取得部によって取得された情報を蓄積する。調整部は、蓄積部に蓄積されている情報に基づいて、空調機の消費電力を抑えるための省エネ運転の運転内容が空調機の設置されている空調対象空間に適応するように省エネ運転の運転内容を調整する。さらに、調整部は、判定部を有する。判定部は、前記情報に基づく空調対象空間における時間帯別の状況から空調対象空間の区画を判定する。また、調整部は、判定部の判定結果に応じて、省エネ運転の運転内容を調整する。
【０００７】
本発明の第１観点に係る空調制御装置では、空調機が設置されている空調対象空間に適応するように省エネ運転の運転内容が調整される。このため、調整された省エネ運転の運転内容に従って空調機が制御されることで、空調機が設定されている空調対象空間に応じた省エネ運転を実行することができる。したがって、空調対象空間に適応していない省エネ運転の運転内容に従って空調機が制御される場合と比較して、消費電力を抑えることができる。これにより、空調機の省エネ運転の運転内容を調整することで、消費電力を抑えることができる。
【０００８】
また、この空調制御装置では、空調対象空間における時間帯別の状況から空調対象空間の区画が判定され、該判定結果に応じて省エネ運転の運転内容が調整されるため、空調対象空間の区画に応じて、省エネ運転の運転内容を調整することができる。
【０００９】
本発明の第２観点に係る空調制御装置は、第１観点の空調制御装置において、調整部は、省エネ運転の運転内容を単位期間毎に調整する。このため、例えば、調整部によって季節毎に省エネ運転の運転内容が調整される場合には、季節に伴って変化する空調対象空間の状況に応じた省エネ運転を実行することができる。また、例えば、空調対象空間の状況が曜日毎に異なるときに、調整部によって曜日毎に省エネ運転の運転内容が調整される場合には、曜日毎に変化する空調対象空間の状況に応じた省エネ運転を実行することができる。これにより、空調対象空間の状況に応じて、省エネ運転の運転内容を調整することができる。
【００１０】
本発明の第３観点に係る空調制御装置は、第１観点又は第２観点の空調制御装置において、センサは、空調対象空間に人が存在するか否かを検知可能な人検知センサを含む。また、省エネ運転の運転内容が、人検知センサによって人の不在が検知されてから所定時間が経過するまでの間人検知センサによって人の存在が検知されない場合に運転が停止するように設定されている場合には、調整部は、蓄積部に蓄積されている情報に基づいて所定時間を変更することで省エネ運転の運転内容を調整する。このため、この空調制御装置では、省エネ運転における運転の継続時間を調整することができる。
【００１１】
本発明の第４観点に係る空調制御装置は、第３観点の空調制御装置において、省エネ運転の運転内容が、人検知センサによって人の不在が検知されてから所定時間が経過するまでの間設定温度が所定温度だけシフトするように設定されている場合には、調整部は、蓄積部に蓄積されている情報に基づいて所定温度を変更することで、省エネ運転の運転内容を調整する。このため、この空調制御装置では、省エネ運転における設定温度を変更することができる。
【発明の効果】
【００１２】
本発明の第１観点に係る空調制御装置では、空調機の省エネ運転の運転内容を調整することで、消費電力を抑えることができる。
【００１３】
本発明の第２観点に係る空調制御装置では、空調対象空間の状況に応じて、省エネ運転の運転内容を調整することができる。
【００１４】
本発明の第３観点に係る空調制御装置では、省エネ運転における運転の継続時間を調整することができる。
【００１５】
本発明の第４観点に係る空調制御装置では、省エネ運転における設定温度を変更することができる。
【図面の簡単な説明】
【００１６】
【図１】本発明の一実施形態に係る遠隔管理サーバを備える空調管理システムの構成を示す図。
【図２】空調設備及びコントローラの構成を示す図。
【図３】省エネ運転の運転内容を示す図であって、（ａ）人検知センサによって不在が検知された時点から運転継続時間が経過するまでの間に人の存在が検知されなかった場合の省エネ運転の運転内容を示す図、（ｂ）人検知センサによって不在が検知された時点から運転継続時間が経過するまでの間に人の存在が検知された場合の省エネ運転の運転内容を示す図。
【図４】遠隔管理センター内の遠隔管理サーバの構成を示す図。
【図５】人検知情報データベースのデータ構造及びパラメータ情報データベースのデータ構造を示す図。
【図６】省エネ運転の運転内容が調整されるまでの処理の流れを示す図。
【図７】省エネ運転の運転内容を示す図であって、（ａ）予め設定されている省エネ運転の運転内容を示す図、（ｂ）Ａ区画であると判定された場合の省エネ運転の運転内容を示す図、（ｃ）Ｂ区画であると判定された場合の省エネ運転の運転内容を示す図。
【図８】省エネ運転の運転内容を示す図であって、（ａ）予め設定されている省エネ運転の運転内容を示す図、（ｂ）変形例Ａにおいて空調対象空間に居る人が少ないと判定された場合の省エネ運転の運転内容を示す図。
【図９】変形例Ｃにおける時間帯別のエネルギー使用量の一例を示す図。
【図１０】変形例Ｃにおける省エネ運転の運転内容を示す図であって、（ａ）エネルギー使用量が多い時間帯あるいは床温度が安定していない時間帯の省エネ運転の運転内容を示す図、（ｂ）エネルギー使用量が少ない時間帯あるいは床温度が安定している時間帯の省エネ運転の運転内容を示す図。
【図１１】変形例Ｃにおける時間帯別の床温度の変化の一例を示す図。
【発明を実施するための形態】
【００１７】
以下、図面を参照して、本発明の一実施形態に係る遠隔管理サーバ（空調制御装置に相当）２０を備える空調管理システム１００について説明する。
【００１８】
＜空調管理システム＞
（１）全体構成
図１は、本発明の実施形態に係る空調管理システム１００の全体構造を示したものである。空調管理システム１００は、主として、空調設備５０ａ，５０ｂ，・・・と、コントローラ１０ａ，１０ｂ，・・・と、コントローラ１０ａ，１０ｂ，・・・にインターネット６を介して接続可能な遠隔管理サーバ２０とから構成されている。
【００１９】
空調設備５０ａ，５０ｂ，・・・は、建物内の利用者によって利用される空間（例えば、会議室や廊下等）に配置されている。なお、以下より、各空調設備５０ａ，５０ｂ，・・・によって空気調和が行われる空間を、それぞれ、空調対象空間１ａ，１ｂ，・・・という。
【００２０】
コントローラ１０ａ，１０ｂ，・・・は、建物内に配置されており、各空調設備５０ａ，５０ｂ，・・・と通信可能に接続されている。
【００２１】
遠隔管理サーバ２０は、空調設備５０ａ，５０ｂ，・・・を遠隔から管理する遠隔管理サービスを提供する組織により運営される遠隔管理センター２内に設置されている。
【００２２】
空調管理システム１００は、各空調設備５０ａ，５０ｂ，・・・に対して設定されている省エネ運転の運転内容を、建物内の空調対象空間１ａ，１ｂ，・・・の状況（例えば、空調対象空間１ａ，１ｂ，・・・の種類等）に応じて調整し、調整した省エネ運転の運転内容に従って各空調設備５０ａ，５０ｂ，・・・を運転する。
【００２３】
（２）空調設備
以下、図２を参照しつつ、空調設備５０ａについて説明するが、その他の空調設備５０ｂ，・・・についても同様であるものとする。
【００２４】
空調設備５０ａは、室外機５１と、室外機５１に冷媒配管を介して接続される室内機５２とを有しており、全体として、図示されない圧縮機や熱交換器等から構成される冷媒回路を形成している。
【００２５】
室内機５２は、人検知センサ５３と、制御部５５とを有している。
【００２６】
人検知センサ５３は、室内機５２の設置されている空調対象空間１ａにおける人の在／不在を検知する赤外線センサである。人検知センサ５３は、物体から放射される赤外線放射エネルギーの変動によって、空調対象空間１ａの人の有無を検知する。また、人検知センサ５３による人の在／不在の検知結果に関する情報（以下、人検知情報という）は、コントローラ１０ａからの命令に応じて制御部５５を介してコントローラ１０ａに送信される。
【００２７】
制御部５５は、通信線５ｂを介して室外機５１の制御部５１ａおよびコントローラ１０ａに接続されている。また、制御部５５は、リモコン５６又はコントローラ１０ａからの運転指令（例えば、室内機５２の起動又は停止を命じたり、室内機５２の設定温度の変更を命じたり、室内機５２の運転モードの変更を命じたり、室内機５２の風量の変更を命じたりするもの）に従って、室外機５１の制御部５１ａと協調しつつ、冷媒回路に含まれる各種部品の動作を制御し、空調対象空間１ａを空調する。具体的には、圧縮機の周波数、ファンの回転数および各種弁の開度の調整等を行う。なお、リモコン５６は、空調対象空間１ａ内の利用者から室内機５２に対する運転指令の入力を受け付けるためのものであり、室内機５２の制御部５５に１対１で専用の通信線５ｃを介して接続されている。
【００２８】
また、制御部５５は、室内機５２に関する情報（以下、機器情報という）をコントローラ１０ａからの命令に応じてコントローラ１０ａに送信する。室内機５２の機器情報には、室内機５２の運転情報（室内機５２の起動／停止の起動状態、設定温度、冷房／暖房／送風等の運転モードおよび設定風量を含む）、室内温度情報、ならびに、室内機５２に含まれる各種部品の状態値（例えば、室内ファンの回転数、冷媒回路の所定の位置における冷媒の温度および圧力を含む）を示す情報が含まれる。
【００２９】
また、室外機５１の制御部５１ａは、室外機５１に関する情報（以下、機器情報という）をコントローラ１０ａからの命令に応じてコントローラ１０ａに送信する。室外機５１の機器情報には、外気温度、および、室外機５１に含まれる各種部品の状態値（例えば、圧縮機の周波数、室外ファンの回転数、冷媒回路の所定の位置における冷媒の温度および圧力を含む）を示す情報が含まれる。なお、室内温度、外気温度、室内機５２および室外機５１に含まれる各種部品の状態値は、図示されないセンサ等により検知される。
【００３０】
（３）コントローラ
以下、図２を参照しつつ、コントローラ１０ａについて説明するが、その他のコントローラ１０ｂ，・・・についても同様であるものとする。
【００３１】
コントローラ１０ａは、主として通信部１１、制御部１２および記憶部１５から構成されており、空調設備５０ａを監視および制御する機能を有している。
【００３２】
通信部１１は、コントローラ１０ａをＬＡＮ５ａひいてはインターネット６および通信線５ｂに接続可能にするネットワークインターフェースである。
【００３３】
制御部１２は、主としてＣＰＵ、ＲＯＭおよびＲＡＭから構成されており、記憶部１５に記憶されているプログラムを読み出して実行する。
【００３４】
例えば、制御部１２は、所定の時間間隔で（例えば、１分毎に）、室内機５２の機器情報を室内機５２の制御部５５から取得する。さらに、制御部１２は、所定の時間間隔で（例えば、１分毎に）、室外機５１の機器情報を室外機５１の制御部５１ａから取得する。制御部１２が取得した機器情報は、記憶部１５内に確保されている所定の記憶領域に蓄積される。かかる機器情報は、遠隔管理サーバ２０における各種遠隔管理サービスに利用されるべく、コントローラ１０ａと遠隔管理サーバ２０との所定の時間間隔での（本実施形態では、３０分毎の）定期通信時に、制御部１２によりインターネット６を介して遠隔管理サーバ２０に送信される。
【００３５】
また、制御部１２は、所定の時間間隔で（例えば、１分毎に）、人検知センサ５３から人検知情報を取得する。制御部１２が取得した人検知情報は、記憶部１５内に確保されている所定の記憶領域に蓄積される。かかる人検知情報は、上記定期通信時に、制御部１２によりインターネット６を介して遠隔管理サーバ２０に送信される。
【００３６】
なお、コントローラ１０ａと遠隔管理サーバ２０との通信は、コントローラ１０ａがＷｅｂクライアントとして動作し、遠隔管理サーバ２０がＷｅｂサーバとして動作することにより実現される。
【００３７】
また、制御部１２は、記憶部１５内に記憶されている各種運転の運転内容に従って、適当な運転指令を適当なタイミングで適当な室内機５２及び室外機５１に送信する。また、記憶部１５内に記憶されている運転内容には、通常の運転よりも空調設備５０ａによる消費電力が少ない運転である省エネ運転の運転内容が含まれる。そして、コントローラ１０ａが保持する省エネ運転の運転内容は、省エネ制御のパターンに含まれるパラメータ（ここでは、設定温度からシフトする温度であるシフト温度及び省エネ運転が開始されてから運転が停止されるまでの時間である運転継続時間）に所定の値が代入されることで確定する。また、パラメータに代入される所定の値は、遠隔管理サーバ２０からダウンロードされるものである。
【００３８】
また、省エネ制御のパターンは、具体的には、「人検知センサ５３によって人の不在が検知された時から運転継続時間が経過するまでの間に、人検知センサ５３によって人の存在が検知されない場合には、運転を停止する。また、運転継続時間中に、１又は複数回、現在の設定温度を、消費電力が小さくなるようにシフト温度だけシフトさせる。さらに、人検知センサ５３によって人の不在が検知された時から空調設備５０ａの運転を停止するまでの間に、人検知センサ５３によって人の存在が検知された場合には、人検知センサ５３によって人の不在が検知される前の設定温度で運転を行う。」というものである。なお、本実施形態では、運転継続時間が３０分以下である場合には、人検知センサ５３によって人の不在が検知された時、すなわち、運転継続時間の開始時に、設定温度をシフトさせるものとする。
【００３９】
さらに、本実施形態では、予め（例えば、製品の出荷時など）、省エネ制御のシフト温度の値は「１」に、運転継続時間の値は「９０」に、設定されている。
【００４０】
ここで、予め記憶部１５内に記憶されている省エネ運転の運転内容（シフト温度及び運転継続時間に予め設定された値（「１」及び「９０」）が代入された省エネ制御のパターン、すなわち、外部から調整される前の省エネ運転の運転内容）について、図３を用いて説明する。
【００４１】
予め記憶部１５内に記憶されている省エネ運転の運転内容は、「人検知センサ５３によって人の不在が検知された時から「９０」分が経過するまでの間に、人検知センサ５３によって人の存在が検知されない場合には、運転を停止する。また、運転継続時間中に、２回、現在の設定温度を、消費電力が小さくなるように「１」℃だけシフトさせる。さらに、人検知センサ５３によって人の不在が検知された時から空調設備５０ａの運転を停止するまでの間に、人検知センサ５３によって人の存在が検知された場合には、人検知センサ５３によって人の不在が検知される前の設定温度で運転を行う。」というものである。より具体的には、予め記憶部１５内に記憶されている省エネ運転の運転内容は、図３（ａ）及び図３（ｂ）に示すように、「人検知センサ５３によって人の不在が検知された時から所定の第１時間（図３では、３０分）が経過するまでの間は、通常運転（図３では、暖房運転）と等しい設定温度（図３では、２０℃）で運転を行う。また、人検知センサ５３によって人の不在が検知された時から所定の第１時間が経過するまでの間に人検知センサ５３によって人の存在が検知されない場合には、通常運転時の設定温度を、「１」℃だけ下げた温度（図３では、１９℃）を設定温度として、運転を行う。さらに、通常運転時の設定温度を「１」℃下げた温度を設定温度として運転を開始してから所定の第２時間（図３では、３０分）が経過するまでの間に人検知センサ５３によって人の存在が検知されない場合には、設定温度を、「１」℃だけ更に下げた温度（図３では、１８℃）を設定温度として、運転を行う。そして、設定温度を更に「１」℃下げた温度を設定温度として運転を開始してから所定の第３時間（図３では、３０分）が経過するまでの間に、人検知センサ５３によって人の存在が検知されない場合には、空調設備５０ａの運転を停止させる（図３（ａ）参照）。また、人検知センサ５３によって人の不在が検知された時から空調設備５０ａの運転を停止するまでの間に、人検知センサ５３によって人の存在が検知された場合には、通常運転時の設定温度（図３では、２０℃）で運転を行う（図３（ｂ）参照）。」というものである。
【００４２】
（４）遠隔管理サーバ
図４に示すように、遠隔管理サーバ２０は、主として通信部２１、制御部２２、出力部２３、入力部２４および記憶部２５から構成されるサーバコンピュータであり、コントローラ１０ａ，１０ｂ，・・・経由でそれぞれ空調設備５０ａ，５０ｂ，・・・を監視および制御する機能を有している。
【００４３】
通信部２１は、遠隔管理サーバ２０をインターネット６に接続可能にするネットワークインターフェースである。通信部２１は、インターネット６を介してコントローラ１０ａ，１０ｂ，・・・から所定情報（機器情報や人検知情報等）を取得したり、コントローラ１０ａ，１０ｂ，・・・に対して所定情報（パラメータに代入される所定の値等）を出力したりすることができる。
【００４４】
制御部２２は、主としてＣＰＵ、ＲＯＭおよびＲＡＭから構成されており、記憶部２５に記憶されているプログラムを読み出して実行することにより、分類部２２ａ、判定部２２ｂ及び決定部２２ｃとして動作する。また、制御部２２は、判定部２２ｂ及び決定部２２ｃとして動作することで、記憶部２５に蓄積されている情報に基づいて、空調設備５０ａ，５０ｂ，・・・の省エネ運転の運転内容が各空調設備５０ａ，５０ｂ，・・・の設置されている空調対象空間１ａ，１ｂ，・・・に適応するように省エネ運転の運転内容を調整する。なお、各部２２ａ〜２２ｃの動作の詳細については、後述する。
【００４５】
出力部２３は、主としてディスプレイおよびスピーカから構成されており、入力部２４は、主としてマウスおよびキーボードから構成されている。
【００４６】
記憶部２５は、主としてハードディスクから構成されており、機器情報データベース（図示されない）、人検知情報データベース２５ａ、パラメータ情報データベース２５ｂを保持している。
【００４７】
機器情報データベース（図示されない）には、コントローラ１０ａ，１０ｂ，・・・から送られてくる空調設備５０ａ，５０ｂ，・・・の機器情報が適当な形式で蓄積される。機器情報データベース内の機器情報は、遠隔管理サーバ２０が提供する各種遠隔管理サービス（例えば、異常検知サービスなど）に利用される。
【００４８】
人検知情報データベース２５ａには、コントローラ１０ａ，１０ｂ，・・・から送られてくる空調対象空間１ａ，１ｂ，・・・毎の人検知情報が蓄積される。人検知情報データベース２５ａは、例えば、図５に示されるような表形式のデータベースであり、空調設備５０ａ，５０ｂ，・・・（空調対象空間１ａ，１ｂ，・・・）毎に、日毎かつ時間帯毎の人検知センサ５３の検知結果を示すデータを１のレコードとして保持する。
【００４９】
具体的には、まず、コントローラ１０ａ，１０ｂ，・・・から送られてくる空調対象空間１ａ，１ｂ，・・・毎の人検知情報が、分類部２２ａによって、時間帯（０時−２時の時間帯、２時−４時の時間帯、４時−６時の時間帯、６時−８時の時間帯、８時−１０時の時間帯、１０時−１２時の時間帯、１２時−１４時の時間帯、１４時−１６時の時間帯、１６時−１８時の時間帯、１８時−２０時の時間帯、２０時−２２時の時間帯、２２時−０（２４）時の時間帯）毎に分類される。例えば、コントローラ１０ａから０時３０分、１時、１時３０分及び２時に送られてきた空調設備５０ａ（空調対象空間１ａ）の人検知情報は、分類部２２ａによって、０時−２時の時間帯の人検知情報に分類される。
【００５０】
そして、人検知情報データベース２５ａには、分類部２２ａによって分類された人検知情報が、時間帯（０時−２時の時間帯、２時−４時の時間帯、４時−６時の時間帯、６時−８時の時間帯、８時−１０時の時間帯、１０時−１２時の時間帯、１２時−１４時の時間帯、１４時−１６時の時間帯、１６時−１８時の時間帯、１８時−２０時の時間帯、２０時−２２時の時間帯、２２時−０（２４）時の時間帯）別に保存される。例えば、分類部２２ａによって分類された０時−２時の時間帯の人検知情報が、いずれも人の不在を検知した情報である場合には、人検知情報データベース２５ａには、０時−２時の時間帯における人検知情報として不在に関する情報が記憶される。また、例えば、分類部２２ａによって分類された０時−２時の時間帯の人検知情報のいずれかが、人の存在を検知した情報である場合には、人検知情報データベース２５ａには、０時−２時の時間帯における人検知情報として存在に関する情報が記憶される。なお、本実施形態では、人検知情報データベース２５ａには、人検知情報が１日を１２の時間帯に分けて保存されているが、これに限定されず、例えば、人検知情報が、２２時−８時の時間帯と、８時−１０時の時間帯、１０時−１２時の時間帯、１２時−１４時の時間帯、１４時−１６時の時間帯、１６時−１８時の時間帯、１８時−２０時の時間帯、２０時−２２時の時間帯とに分類され、これら８つの時間帯毎に保存されてもよい。
【００５１】
パラメータ情報データベース２５ｂは、図５に示されるような表形式のデータベースであって、空調対象空間１ａ，１ｂ，・・・の種類（以下、区画という）に対するシフト温度及び運転継続時間に関するデータを１つのレコードとして保持している。なお、区画には、会議室のように人が断続的に存在する時間帯と人が断続的に不在になる時間帯とが分かれているＡ区画や、廊下のように時間帯に関係なく断続的に人が存在するＢ区画が含まれる。
【００５２】
（５）省エネ運転の運転内容が調整されるまでの処理の流れ
以下、図６を参照しつつ、それぞれの空調設備５０ａ，５０ｂ，・・・における省エネ運転の運転内容が調整されるまでの処理の流れについて説明する。図６は、省エネ運転の運転内容の調整に関与する３つの要素（空調設備５０ａ，５０ｂ，・・・、コントローラ１０ａ，１０ｂ，・・・、遠隔管理サーバ２０）が実行する処理の時間的関係、および当該要素間で受け渡されるデータの流れを示している。なお、図６では、上から下に時間の流れが規定されている。
【００５３】
コントローラ１０ａ，１０ｂ，・・・は、それぞれの空調設備５０ａ，５０ｂ，・・・の機器情報及び人検知情報を１分毎に取得する。また、コントローラ１０ａ，１０ｂ，・・・は、機器情報及び人検知情報を、一時的に記憶し、それぞれコントローラ１０ａ，１０ｂ，・・・と遠隔管理サーバ２０との定期通信時（例えば、３０分毎）に、遠隔管理サーバ２０にアップロードする（ステップＳ１）。
【００５４】
遠隔管理サーバ２０は、コントローラ１０ａ，１０ｂ，・・・から送られてくる各空調設備５０ａ，５０ｂ，・・・の機器情報及び人検知情報を、機器情報データベースあるいは人検知情報データベース２５ａ内に保存する（ステップＳ２）。
【００５５】
ステップＳ１〜ステップＳ２が多数回繰り返されて人検知情報が人検知情報データベース２５ａ内に蓄積されることで、遠隔管理サーバ２０は、予め設定されている単位期間毎に、各空調設備５０ａ，５０ｂ，・・・に対する省エネ制御のシフト温度及び運転継続時間に代入される値を決定する（ステップＳ３）。ステップＳ３で決定された省エネ制御のシフト温度及び運転継続時間に代入される値は、遠隔管理サーバ２０の通信部２１からコントローラ１０ａ，１０ｂ，・・・にダウンロードされ（ステップＳ４）、現在記憶部１５内に記憶されている省エネ制御のシフト温度及び運転継続時間の値が、ステップＳ３で決定された値に書き換えられることで（ステップＳ５）、省エネ運転の運転内容が確定する。これにより、記憶部１５内に記憶されていた省エネ運転の運転内容が、空調設備５０ａ，５０ｂ，・・・の外部（遠隔管理サーバ２０）から自動的に調整される。
【００５６】
（６）空調対象空間の種類（区画）の判定方法
以下に、遠隔管理サーバ２０による、各空調対象空間１ａ，１ｂ，・・・に対応する区画の判定方法について説明する。
【００５７】
遠隔管理サーバ２０の判定部２２ｂは、単位期間（月、年、曜日、季節など）における空調設備５０ａ，５０ｂ，・・・（空調対象空間１ａ，１ｂ，・・・）の人検知情報に基づいて、空調対象空間１ａ，１ｂ，・・・毎の区画を判定する。なお、単位期間は、空調設備５０ａ，５０ｂ，・・・の利用者によってコントローラ１０ａ，１０ｂ，・・・の入力部（図示せず）から入力されることで、あるいは、遠隔管理センター２の職員によって遠隔管理サーバ２０の入力部２４から入力されることで、決定される。
【００５８】
具体的には、判定部２２ｂは、人検知情報データベース２５ａを参照し、空調対象空間１ａ，１ｂ，・・・毎の単位期間内の時間帯別の人の在／不在の情報から、各空調対象空間１ａ，１ｂ，・・・の区画を判定する。例えば、判定部２２ｂは、空調対象空間１ａの単位期間における人検知情報データベース２５ａを参照し、８時−２２時までのすべての時間帯（８時−１０時の時間帯、１０時−１２時の時間帯、１２時−１４時の時間帯、１４時−１６時の時間帯、１６時−１８時の時間帯、１８時−２０時の時間帯、２０時−２２時）で、不在が検知されている割合が所定以下である場合（例えば、時間帯全体に対する不在の時間帯の割合が１０％以下である場合）には、人の存在が断続的に検知される区画（例えば、廊下等）であるＢ区画と判定する。また、例えば、判定部２２ｂは、空調対象空間１ａの単位期間における人検知情報データベース２５ａを参照し、８時−２２時までの時間帯のうちいずれかの時間帯（８時−１０時の時間帯、１０時−１２時の時間帯、１２時−１４時の時間帯、１４時−１６時の時間帯、１６時−１８時の時間帯、１８時−２０時の時間帯、２０時−２２時）で、不在が検知されている割合が所定以上である時間帯がある場合（例えば、８−１０時の時間帯の在／不在に対する不在の割合が８０％である場合）には、人の在／不在が時間帯別に断続的に検知される区画（例えば、会議室等）であるＡ区画と判定する。
【００５９】
（７）省エネ制御のシフト温度及び運転継続時間に代入される値の決定方法
以下に、遠隔管理サーバ２０による各空調設備５０ａ，５０ｂ，・・・に対する省エネ制御のシフト温度及び運転継続時間に代入される値の決定方法について説明する。
【００６０】
遠隔管理サーバ２０の決定部２２ｃは、パラメータ情報データベース２５ｂを参照し、単位期間（月、年、曜日、季節など）毎に判定部２２ｂによって判定される空調対象空間１ａ，１ｂ，・・・の区画に基づいて、省エネ制御のシフト温度及び運転継続時間に代入される値を決定する（図５参照）。例えば、判定部２２ｂによって、ある空調対象空間１ａがＡ区画であると判定された場合には、決定部２２ｃは、空調設備５０ａにおける省エネ制御のシフト温度に代入される値を「２」に決定し、運転継続時間に代入される値を「５」に決定する。また、例えば、判定部２２ｂによって、ある空調対象空間１ａがＢ区画であると判定された場合には、決定部２２ｃは、空調設備５０ａにおける省エネ制御のシフト温度に代入する値を「２」に決定し、運転継続時間に代入する値を「３０」に決定する。
【００６１】
そして、決定されたシフト温度及び運転継続時間の値が、遠隔管理サーバ２０の通信部２１からコントローラ１０ａ，１０ｂ，・・・にダウンロードされ、記憶部１５内に記憶されることで、省エネ運転の運転内容が調整される。
【００６２】
これにより、例えば、判定部２２ｂによって空調対象空間１ａがＡ区画であると判定された場合には、図７（ｂ）に示すように、省エネ運転の運転内容が「人検知センサ５３によって人の不在が検知された時から「５」分が経過するまでの間に、人検知センサ５３によって人の存在が検知されない場合には、運転を停止する。また、人検知センサ５３によって人の不在が検知された時に、設定温度を消費電力が小さくなるように「２」℃だけシフトさせる。なお、人検知センサ５３によって人の不在が検知された時から空調設備５０ａの運転を停止するまでの間に、人検知センサ５３によって人の存在が検知された場合には、人検知センサ５３によって人の不在が検知される前の設定温度（図７（ｂ）においては、２０℃）で運転を行う。」という運転内容に調整される。
【００６３】
また、例えば、判定部２２ｂによって空調対象空間１ａがＢ区画であると判定された場合には、図７（ｃ）に示すように、省エネ運転の運転内容が「人検知センサ５３によって人の不在が検知された時から「３０」分が経過するまでの間に、人検知センサ５３によって人の存在が検知されない場合には、運転を停止する。また、人検知センサ５３によって人の不在が検知された時に、設定温度を消費電力が小さくなるように「２」℃だけシフトさせる。なお、人検知センサ５３によって人の不在が検知された時から空調設備５０ａの運転を停止するまでの間に、人検知センサ５３によって人の存在が検知された場合には、人検知センサ５３によって人の不在が検知される前の設定温度（図７（ｃ）においては、２０℃）で運転を行う。」という運転内容に調整される。
【００６４】
そして、制御部１２が、調整された運転内容に従って室内機５２及び室外機５１を制御することで、各空調対象空間１ａ，１ｂ，・・・に適応した省エネ運転を実行することができる。
【００６５】
（８）特徴
（８−１）
本実施形態では、制御部２２は、判定部２２ｂ及び決定部２２ｃとして動作することで、記憶部２５に蓄積されている情報に基づいて、空調設備５０ａ，５０ｂ，・・・の省エネ運転の運転内容が各空調設備５０ａ，５０ｂ，・・・の設置されている空調対象空間１ａ，１ｂ，・・・に適応するように省エネ運転の運転内容を調整する。具体的には、判定部２２が、人検知情報データベース２５ａに蓄積されている空調対象空間１ａ，１ｂ，・・・の人検知情報に基づいて、各空調対象空間１ａ，１ｂ，・・・の状況として空調対象空間１ａ，１ｂ，・・・の種類（区画）を判定する。また、決定部２２ｃが、判定部２２ｂによって判定される各空調対象空間１ａ，１ｂ，・・・の区画に基づいて、省エネ制御のパラメータであるシフト温度及び運転継続時間の値を決定することで、省エネ運転の運転内容を調整している。このため、調整された省エネ運転の運転内容に従って室内機５２及び室外機５１が制御されることで、各空調対象空間１ａ，１ｂ，・・・に適応した省エネ運転を実行することができる。したがって、空調対象空間１ａ，１ｂ，・・・に適応していない省エネ運転の運転に従って室内機５２及び室外機５１が制御される場合と比較して、空調設備５０ａ，５０ｂ，・・・によって消費される消費電力を抑えることができる。これにより、省エネ運転の運転内容を調整することで、消費電力を抑えることができている。
【００６６】
（８−２）
本実施形態では、決定部２２ｃは、単位期間（月、年、曜日、季節など）毎に判定部２２ｂによって判定される空調対象空間１ａ，１ｂ，・・・に対応する区画に基づいて、省エネ制御のシフト温度及び運転継続時間の値を決定する。また、決定部２２ｃによって決定された省エネ制御のシフト温度及び運転継続時間の値は、決定される毎にコントローラ１０ａ，１０ｂ，・・・にダウンロードされ、パラメータが書き換えられる。この結果、省エネ運転の運転内容は、単位期間毎に調整される。このため、例えば、空調設備５０ａ，５０ｂ，・・・の利用者によって空調対象空間１ａ，１ｂ，・・・の状況（種類）が変更されても、その変更に応じて、自動的に省エネ運転の運転内容を調整することができる。
【００６７】
（８−３）
本実施形態では、決定部２２ｃによって省エネ制御のパラメータであるシフト温度及び運転継続時間の値が決定されることで、省エネ運転の運転内容が調整されている。このため、省エネ運転における運転の継続時間及び省エネ運転時にシフトする温度を調整することができている。
【００６８】
（９）変形例
（９−１）変形例Ａ
上記実施形態では、空調対象空間１ａ，１ｂ，・・・毎に、省エネ運転の運転内容が調整されている。
【００６９】
これに代えて、空調対象空間１ａ，１ｂ，・・・の状況に対応する時間帯毎に、省エネ運転の運転内容が調整されてもよい。
【００７０】
例えば、人検知センサ５３が空調対象空間１ａにおける人の在／不在を検知するだけでなく空調対象空間１ａ，１ｂ，・・・に居る人の強度（例えば、人数等）を検出可能なセンサである場合には、空調対象空間１ａ，１ｂ，・・・に居る人数の少ない時間帯における省エネ運転の運転内容が調整されてもよい。
【００７１】
具体的には、人検知情報データベース２５ａには、分類部２２ａによって分類された人の強度に関する人検知情報が、時間帯（０時−２時の時間帯、２時−４時の時間帯、４時−６時の時間帯、６時−８時の時間帯、８時−１０時の時間帯、１０時−１２時の時間帯、１２時−１４時の時間帯、１４時−１６時の時間帯、１６時−１８時の時間帯、１８時−２０時の時間帯、２０時−２２時の時間帯、２２時−０（２４）時の時間帯）別に保存される。また、パラメータ情報データベース２５ｂは、空調対象空間１ａ，１ｂ，・・・の状況（空調対象空間１ａ，１ｂ，・・・に存在する人数の多少）に対するシフト温度及び運転継続時間に関するデータを１つのレコードとして保持している。なお、パラメータ情報データベース２５ｂには、少なくとも、空調対象空間１ａ，１ｂ，・・・に居る人数が少ない状況に対するシフト温度及び運転継続時間に関するデータが保存されている。さらに、判定部２２ｂは、人検知情報データベース２５ａを参照し、単位期間における空調対象空間１ａ，１ｂ，・・・毎の時間帯別の人の強度に関する人検知情報から、各空調対象空間１ａ，１ｂ，・・・の時間帯別の状況を判定する。例えば、判定部２２ｂは、人検知情報データベース２５ａを参照し、単位期間における時間帯別の強度の平均値が、所定値以下である時間帯を、人の少ない時間帯であると判定する。そして、決定部２２ｃは、パラメータ情報データベース２５ｂを参照し、単位期間（月、年、曜日、季節など）毎に判定部２２ｂによって判定される各空調対象空間１ａ，１ｂ，・・・の時間帯別の状況に基づいて、省エネ制御のシフト温度及び運転継続時間の値を決定する。例えば、判定部２２ｂによって人の少ない時間帯であると判定された場合には、予め記憶部１５内に記憶されている省エネ運転の運転内容（図８（ａ）参照）が「人検知センサ５３によって人の不在が検知された時から「３０」分が経過するまでの間に、人検知センサ５３によって人の存在が検知されない場合には、運転を停止する。また、運転継続時間中に、２回、現在の設定温度を、消費電力が小さくなるように「１」℃だけシフトさせる。なお、人検知センサ５３によって人の不在が検知された時から空調設備５０ａの運転を停止するまでの間に、人検知センサ５３によって人の存在が検知された場合には、人検知センサ５３によって人の不在が検知される前の設定温度（図８（ｂ）においては、２０℃）で運転を行う。」という運転内容に調整される（図８（ｂ）参照）。そして、制御部１２が、調整された運転内容に従って室内機５２及び室外機５１を制御することで、各空調対象空間１ａ，１ｂ，・・・に適応した省エネ運転を実行することができる。
【００７２】
また、人検知センサ５３が空調対象空間１ａ，１ｂ，・・・に居る人の強度を検出可能なセンサである場合には、強度の閾値を省エネ制御のパラメータとして省エネ運転の運転内容が調整されてもよい。
【００７３】
（９−２）変形例Ｂ
上記実施形態では、人検知情報データベース２５ａに蓄積されている人検知センサ５３の検知結果に基づいて、判定部２２ｂが自動的に空調対象空間１ａ，１ｂ，・・・の状況（区画）を判定している。
【００７４】
これに代えて、例えば、空調設備５０ａ，５０ｂ，・・・の利用者によって入力される情報（例えば、区画や空調対象空間１ａ，１ｂ，・・・の時間帯別の状況等）及び人検知情報データベース２５ａに蓄積されている人検知センサ５３の検知結果に基づいて、空調対象空間１ａ，１ｂ，・・・の状況が判定されてもよい。
【００７５】
例えば、利用者によって、空調設備５０ａの設置されている空調対象空間１ａの状況に対応する時間帯に関する情報（時間帯別状況情報に相当）が入力され、かつ、人検知センサ５３が空調対象空間１ａにおける人の在／不在を検知するだけでなく空調対象空間１ａ，１ｂ，・・・に居る人の強度（例えば、人数等）を検出可能なセンサである場合について説明する。
【００７６】
まず、利用者が、空調対象空間（ここでは、店舗内の空間）１ａの状況に対応する時間帯に関する情報として、営業終了時刻に関する情報をコントローラ１０ａの入力部（図示せず）に入力する。入力された営業終了時刻に関する情報は、コントローラ１０ａと遠隔管理サーバ２０との所定の時間間隔での定期通信時に、制御部１２によりインターネット６を介して遠隔管理サーバ２０に送信され、遠隔管理サーバ２０の通信部２１によって取得される。通信部２１が取得した営業終了時刻に関する情報は、空調対象空間１ａ，１ｂ，・・・毎に、記憶部２５内に確保されている所定の記憶領域に保持される。
【００７７】
また、コントローラ１０ａから送信される人の強度に関する人検知情報は、分類部２２ａによって、営業終了時刻から所定時間（例えば、１時間）遡った時刻から営業終了時刻までの時間帯（例えば、営業終了時刻が２０時である場合には、１９時−２０時の時間帯）の人検知情報と、それ以外の時間帯の人検知情報とに分類され、営業終了時刻前の時間帯の人検知情報が人検知情報データベース２５ａに保存される。
【００７８】
また、パラメータ情報データベース２５ｂは、空調対象空間１ａ，１ｂ，・・・の状況（空調対象空間１ａ，１ｂ，・・・に存在する人数の多少）に対するシフト温度及び運転継続時間に関するデータを１つのレコードとして保持している。
【００７９】
ここで、判定部２２ｂは、人検知情報データベース２５ａを参照し、空調対象空間１ａ，１ｂ，・・・毎の単位期間内の人の強度に関する人検知情報から、各空調対象空間１ａ，１ｂ，・・・における営業終了前の時間帯の状況を判定する。例えば、判定部２２ｂは、単位期間内の営業終了時刻前の時間帯における強度の平均値が所定値以下である場合には、営業終了前の時間帯に人の少ない店舗であると判定する。そして、決定部２２ｃは、パラメータ情報データベース２５ｂを参照し、単位期間（月、年、曜日、季節など）毎に判定部２２ｂによって判定される各空調対象空間１ａ，１ｂ，・・・における営業終了前の時間帯の状況に基づいて、省エネ制御のシフト温度及び運転継続時間の値を決定する。例えば、判定部２２ｂによって営業終了前の時間帯に人の少ない店舗であると判定された場合には、営業終了前の時間帯の省エネ運転の運転内容として予め記憶部１５内に記憶されている運転内容が、「人検知センサ５３によって人の不在が検知された時から「５」分が経過するまでの間に、人検知センサ５３によって人の存在が検知されない場合には、運転を停止する。また、運転継続時間中に、１回、現在の設定温度を、消費電力が小さくなるように「２」℃だけシフトさせる。なお、人検知センサ５３によって人の不在が検知された時から空調設備５０ａの運転を停止するまでの間に、人検知センサ５３によって人の存在が検知された場合には、人検知センサ５３によって人の不在が検知される前の設定温度で運転を行う。」という運転内容に調整される。そして、制御部１２が、調整された運転内容に従って室内機５２及び室外機５１を制御することで、各空調対象空間１ａ，１ｂ，・・・の時間帯別の状況に適応した省エネ運転を実行することができる。
【００８０】
また、調整された省エネ運転の運転内容に関する情報が、遠隔管理サーバ２０から利用者に対して提供されてもよい。また、決定部２２ｃによって調整された省エネ制御のシフト温度及び運転継続時間の値に関する情報が遠隔管理サーバ２０から利用者に対して提供され、提供された情報に基づいて利用者によって省エネ運転の運転内容が変更されてもよい。
【００８１】
（９−３）変形例Ｃ
上記実施形態では、人検知センサ５３による人検知情報が遠隔管理サーバ２０内の人検知情報データベース２５ａに蓄積され、蓄積された人検知情報に基づいて空調対象空間１ａ，１ｂ，・・・の状況（区画）が判定されている。
【００８２】
これに代えて、空調設備５０ａ，５０ｂ，・・・の運転負荷に関する情報が遠隔管理サーバ内に蓄積され、蓄積された運転負荷に関する情報に基づいて空調対象空間１ａ，１ｂ，・・・の状況が判定されてもよい。
【００８３】
例えば、コントローラ１０ａ，１０ｂ，・・・から遠隔管理サーバ２０に、空調設備５０ａ，５０ｂ，・・・の運転負荷に関する情報としてエネルギー使用量に関する情報が送信され、各空調設備５０ａ，５０ｂ，・・・のエネルギー使用量に関する情報が記憶部２５に蓄積される場合について説明する。
【００８４】
コントローラ１０ａ，１０ｂ，・・・から送信される空調設備５０ａ，５０ｂ，・・・のエネルギー使用量に関する情報は、遠隔管理サーバ２０の通信部２１によって取得される。通信部２１が取得したエネルギー使用量に関する情報は、記憶部２５に時間帯別に蓄積される。また、遠隔管理サーバ２０の判定部２２ｂは、記憶部２５に蓄積されている単位期間（月、年、曜日、季節など）における空調対象空間１ａ，１ｂ，・・・の時間帯別のエネルギー使用量に関する情報に基づいて、空調対象空間１ａ，１ｂ，・・・毎の使用エネルギーの多い時間帯及び使用エネルギーの少ない時間帯を判定する。
【００８５】
そして、決定部２２ｃは、単位期間（月、年、曜日、季節など）毎に判定部２２ｂによって判定される各空調対象空間１ａ，１ｂ，・・・の時間帯別のエネルギー使用量に基づいて、省エネ制御のシフト温度及び運転継続時間の値を決定する。例えば、エネルギー使用量の多い時間帯である６時−９時の時間帯（図９参照）における省エネ制御のシフト温度が「１」℃に設定されており、運転継続時間が「２５」分に設定されている場合（図１０（ａ）参照）には、エネルギー使用量の少ない時間帯である１１時−１９時の時間帯における省エネ運転の運転内容が、６時−９時の時間帯の省エネ運転の運転内容よりも消費電力が小さくなるように省エネ制御のシフト温度及び運転継続時間の値が決定される（図１０（ｂ）参照）。決定部２２ｃによって決定された値は、遠隔管理サーバ２０の通信部２１からコントローラ１０ａ，１０ｂ，・・・にダウンロードされて記憶部１５内に記憶されることで、調整後の省エネ運転の運転内容が確定する。そして、制御部１２が、調整された省エネ運転の運転内容に従って室内機５２及び室外機５１を制御することで、各空調対象空間１ａ，１ｂ，・・・に適応した省エネ運転を実行することができる。
【００８６】
このような構成によって、空調設備５０ａ，５０ｂ，・・・の空調負荷（ここでは、エネルギー使用量）から空調対象空間１ａ，１ｂ，・・・の状況に適応する省エネ運転の運転内容を調整することができるため、エネルギー使用量が多い時間帯の省エネ運転の運転内容に従って空調設備５０ａ，５０ｂ，・・・が制御される場合と比較して、消費電力を抑えることができる。また、単位期間（月、年、曜日、季節など）毎に省エネ運転の運転内容が調整されるため、空調対象空間１ａ，１ｂ，・・・の状況に応じて省エネ運転の運転内容を調整することができる。
【００８７】
なお、本変形例では、単位期間（月、年、曜日、季節など）毎に省エネ運転の運転内容が調整されているが、省エネ運転の運転内容が調整されるタイミングは、これに限定されない。例えば、空調設備５０ａ，５０ｂ，・・・の空調負荷の出現パターンとして、所定のパターンが発生した時に、省エネ運転の運転内容が調整されてもよい。例えば、空調設備５０ａ，５０ｂ，・・・の空調負荷の出現パターンとして、予め設定されている所定のパターンと一致している場合に、それまでに記憶部２５に蓄積されている空調設備５０ａ，５０ｂ，・・・の空調負荷に関する情報に基づいて、空調対象空間１ａ，１ｂ，・・・の状況が判定され、空調設備５０ａ，５０ｂ，・・・の状況に応じた省エネ運転の運転内容に調整されてもよい。
【００８８】
また、各室内機が空調対象空間１ａ，１ｂ，・・・の床温度を検知可能な床温度センサを備えている場合には、人検知センサ５３による人検知情報に代えて、床温度センサによる床温度情報に基づいて、空調対象空間１ａ，１ｂ，・・・における時間帯別の状況が判定されてもよい。
【００８９】
例えば、コントローラ１０ａ，１０ｂ，・・・から遠隔管理サーバ２０に、空調対象空間１ａ，１ｂ，・・・の床温度情報が送信され、遠隔管理サーバ２０の記憶部２５に、空調対象空間１ａ，１ｂ，・・・毎の時間帯別の床温度情報が蓄積される場合について説明する。
【００９０】
コントローラ１０ａ，１０ｂ，・・・から送信される空調対象空間１ａ，１ｂ，・・・の床温度情報は、遠隔管理サーバ２０の通信部２１によって取得される。通信部２１が取得した床温度情報は、遠隔管理サーバ２０の記憶部２５に時間帯別に蓄積される。また、遠隔管理サーバ２０の判定部２２ｂは、記憶部２５に蓄積されている単位期間（月、年、曜日、季節など）における空調対象空間１ａ，１ｂ，・・・の時間帯別の床温度情報に基づいて、空調対象空間１ａ，１ｂ，・・・毎の床温度が安定していない時間帯及び床温度が安定している時間帯を判定する。
【００９１】
そして、決定部２２ｃは、単位期間（月、年、曜日、季節など）毎に判定部２２ｂによって判定される各空調対象空間１ａ，１ｂ，・・・の時間帯別の床温度の安定度に基づいて、省エネ制御のシフト温度及び運転継続時間の値を決定する。例えば、床温度の安定していない時間帯である１０時−１２時の時間帯（図１１参照）における省エネ制御のシフト温度が「１」℃に設定されており、運転継続時間が「２５」分に設定されている場合（図１０（ａ）参照）には、床温度の安定している時間帯である１３時−２２時の時間帯における省エネ運転の運転内容が、６時−９時の時間帯の省エネ運転の運転内容よりも消費電力が小さくなるように省エネ制御のシフト温度及び運転継続時間の値が決定される（図１０（ｂ）参照）。決定部２２ｃによって決定された値は、遠隔管理サーバ２０の通信部２１からコントローラ１０ａ，１０ｂ，・・・にダウンロードされて記憶部１５内に記憶されることで、調整後の省エネ運転の運転内容が確定する。そして、制御部１２が、調整された省エネ運転の運転内容に従って室内機５２及び室外機５１を制御することで、各空調対象空間１ａ，１ｂ，・・・に適応した省エネ運転を実行することができる。
【００９２】
このような構成によって、床温度センサによって検知される床温度から空調対象空間１ａ，１ｂ，・・・の状況（環境）に適応する省エネ運転の運転内容を調整することができるため、床温度が安定していない時間帯の省エネ運転の運転内容に従って空調設備５０ａ，５０ｂ，・・・が制御される場合と比較して、消費電力を抑えることができる。また、単位期間（月、年、曜日、季節など）毎に省エネ運転の運転内容が調整されるため、空調対象空間１ａ，１ｂ，・・・の状況（環境）に応じて省エネ運転の運転内容を調整することができる。
【００９３】
（９−４）変形例Ｄ
上記実施形態では、人検知センサ５３による人検知情報が遠隔管理サーバ２０内の人検知情報データベース２５ａに蓄積され、蓄積された人検知情報に基づいて空調対象空間１ａ，１ｂ，・・・の状況（区画）が判定されている。
【００９４】
これに代えて、空調設備５０ａ，５０ｂ，・・・の操作履歴（例えば、操作頻度等）に関する情報が遠隔管理サーバ内に蓄積され、蓄積された操作履歴に関する情報に基づいて空調対象空間１ａ，１ｂ，・・・の状況が判定されてもよい。
【００９５】
また、例えば、調整された省エネ運転の運転内容で空調設備５０ａ，５０ｂ，・・・が制御されている時にその制御に反する操作が行われた場合に、コントローラ１０ａ，１０ｂ，・・・から遠隔管理サーバ２０にその操作情報が送信され操作履歴として蓄積される場合には、その蓄積された操作履歴に関する情報に基づいて、空調対象空間１ａ，１ｂ，・・・の状況が判定され、空調対象空間１ａ，１ｂ，・・・の状況に応じた省エネ運転の運転内容に調整されてもよい。
【００９６】
このように、空調設備５０ａ，５０ｂ，・・・の操作履歴に関する情報に基づいて空調対象空間１ａ，１ｂ，・・・の状況が判定され、判定された状況から省エネ運転の運転内容が調整されることで、空調対象空間１ａ，１ｂ，・・・に適応した省エネ制御を実行することができる。
【００９７】
（９−５）変形例Ｅ
上記実施形態では、省エネ運転の運転内容が、遠隔管理サーバ２０の決定部２２ｃによって調整されている。これに代えて、各コントローラ１０ａ，１０ｂ，・・・が上記実施形態における判定部２２ｂ及び決定部２２ｃの機能を有している場合には、各コントローラ１０ａ，１０ｂ，・・・によって省エネ運転の運転内容が調整されてもよい。
【００９８】
また、省エネ運転の運転内容が調整され過ぎないように、事前に取り決められた空調設備５０ａ，５０ｂ，・・・に対する管理基準（例えば、運用規則等）に関する情報が利用者によって入力され、当該管理基準に関する情報が加味された調整が行われてもよい。
【産業上の利用可能性】
【００９９】
本発明は、空調機の省エネ運転の運転内容を調整することで消費電力を抑えることができるため、外部から空調機の運転内容を調整するような空調制御装置への適用が有効である。
【符号の説明】
【０１００】
２０      遠隔管理サーバ（空調制御装置）
２１      通信部（取得部）
２２      制御部（調整部）
２２ｂ    判定部
２５      記憶部（蓄積部）
５３      人検知センサ（センサ）
５０ａ，５０ｂ，・・・  空調設備（空調機）
【先行技術文献】
【特許文献】
【０１０１】
【特許文献１】特開平１１−６６４４号公報
【図１】
0005585261.tif 000002
【図２】
0005585261.tif 000003
【図３】
0005585261.tif 000004
【図４】
0005585261.tif 000005
【図５】
0005585261.tif 000006
【図６】
0005585261.tif 000007
【図７】
0005585261.tif 000008
【図８】
0005585261.tif 000009
【図９】
0005585261.tif 000010
【図１０】
0005585261.tif 000011
【図１１】
0005585261.tif 000012